(57)【要約】  トリガ機構（２６）と、モニタリングセンタに検出信号を送信するために、前記トリガ機構によって作動する送信器（４２）と、を備えた小動物のための検出器であって、前記トリガ機構（２６）によって駆動する機械−電気変換器（４４）を備えており、前記機械−電気変換器（４４）のエネルギが前記送信器（４２）に電力供給することを特徴とする。【選択図】  図１
2011512824.tif 000002
【特許請求の範囲】
【請求項１】
トリガ機構（２６）と、モニタリングセンタに検出信号を送信するために、前記トリガ機構によって作動する送信器（５８）と、を備えた小動物のための検出器であって、前記トリガ機構（２６）によって駆動する機械−電気変換器（４４）を備えており、前記機械−電気変換器（４４）のエネルギが前記送信器（５８）に電力供給することを特徴とする検出器。
【請求項２】
請求項１に記載の検出器であって、生け捕り用のトラップとして構成される検出器。
【請求項３】
請求項１又は２記載の検出器であって、前記トリガ機構（２６）は、予め手動で荷重を印加するように適合された動力貯蓄部（２０）によって駆動されるように適合されている検出器。
【請求項４】
請求項３記載の検出器であって、小動物が通過可能であると共に、前記動力貯蓄部（２０）によって付勢され且つ始動時に前記トリガ機構（２６）によって回転可能となる、区画化された車輪状の仕切（１４）を介して通じるトンネル（１２）を備えており、前記仕切（１４）が前記トリガ機構（２６）を動かすと共に、前記動物が前記トンネルから前記トラップの閉鎖空間（３８）内に向かって押される検出器。
【請求項５】
請求項１〜４の何れかに記載の検出器であって、前記トリガ機構（２６）は、シャフト（３４）と、そこから突出する少なくともの一つのアーム（３６）とを有するステップスイッチ機構（２２）を備え、前記シャフトは、前記ステップスイッチ機構（３２）のいずれのスイッチングステップにおいても回転し、前記機械−電気変換器（４４）は、前記ステップスイッチ機構（３２）のシャフト（３４）に対して平行に延在すると共に、前記ステップスイッチ機構の前記アーム（３６）によって始動するように配置されたレバー（４８）を支持するシャフト（４６）を備えた検出器。
【請求項６】
請求項４又は５記載の検出器であって、前記ステップスイッチ機構は、等角に配置されていると共に、区画化された車輪状の仕切（１４）における区画化された車輪部（１６）のアーム（２２）に対するストップ（２４）を構成する複数のアーム（２６）を備えている検出器。
【請求項７】
請求項１〜６の何れかに記載の検出器であって、前記電気−機械変換器（４４）は、発電機（５２）を含むことを特徴とする検出器。
【請求項８】
請求項１記載の検出器であって、前記トリガ機構（２６）は、前記機械―電気変換器（４４）と機械的に連結された傾斜プレート（６８）を備えている検出器。
【発明の詳細な説明】
【技術分野】
【０００１】
本発明は、トリガ機構と、モニタリングセンタに検出信号を送信するためにトリガ機構によって作動する送信器と、を備えた小動物の検出器に関する。
【背景技術】
【０００２】
ドイツ国20 2004 013 928は、トラップとして構成される次のようなタイプの検出器について記載している。動物がトリガ機構を作動させると、動物はトラップの中に捕獲される。生け捕り用のトラップの場合には、トラップの中で動物が過度に苦しみ或いは餓死することを防ぐため、適度な時間内に動物に対応することが確保されていなければならない。送信器には、トラップから動物を解放することをモニタリングセンタの人員に知らせるために、モニタリングセンタへ警告信号を送信するという目的がある。
【発明の概要】
【０００３】
本発明の目的は、電力網が利用可能であるか否かに係わらず任意の場所に設置することができ、高い信頼性で機能すると共に、ほとんど保守労力を必要としない検出器を提供することである。
【０００４】
この目的を達成するために、本発明によれば、検出器は、トリガ機構によって駆動し、そのエネルギが送信器に電力供給する機械−電気変換器を備えている。
【０００５】
機械−電気変換器は、それ自体としては、例えば発電機や圧電変換器等の形で知られており、それらはとりわけ盗難防止システムで用いられている。本発明に係る検出器においては、そのような変換器は、送信器に電力供給するために必要とされる電気的エネルギを提供する。変換器を動かすための機械的エネルギは、トリガ機構によって提供される。従って、動物が検出された時はいつでも、送信器がエネルギ供給を受けて機能する準備ができており、対応する検出信号又は警告信号がモニタリングセンタに送信されることが確保されている。
【０００６】
送信器への自立的な電力供給は、検出器が設置されることとなる場所で利用可能とするために電力供給網を必要しないという点の利点があり、バッテリーも必要とせず、そのため、バッテリーを入手しその負荷状態をチェックしたり、使用済みのバッテリーを処分するコストを回避することができる。
【０００７】
本発明におけるさらなる特有の選択的な特徴が、従属する請求項に記載されている。
【０００８】
検出器は、例えば、一つ又は複数の検出器が設置される場所、例えば食品加工工場、に害獣がいないことを確認したり証明する目的で、小動物、特にマウスやラット等の害獣の存在の検出に用いられてもよい。
【０００９】
他の態様において、検出器を始動させる動物を自動的に捕えるトラップとして、検出器を構成してもよい。
【００１０】
動物の動きや体重を、変換器を駆動させるための機械的エネルギの供給に利用するように、トリガ機構を構成してもよい。それでいて、生け捕り用のトラップの場合には、例えばバネのような動力貯蓄部によって、荷重がトリガ機構に予め機械的に印加されていることが好ましい。この場合には、動力貯蓄部のエネルギが、変換器の駆動及びそれに伴った送信器の稼動のために用いられてもよい。何れにしても、捕獲した動物を解放するために人員がトラップを巡回しなければならないので、その時に人員がトリガ機構に荷重を印加したとしても、付加的な労力をほとんど必要とせずに、次の検出のために必要なエネルギが蓄えられる。
【００１１】
機械−電気変換器から送信器に直接的に電力供給することに代えて、再充電可能なバッテリーに変換器のエネルギを蓄積することも可能である。このことは、例えばトラップ又は検出器に（ＧＰＳ）受信器を備え付けることを許容し、これによりトラップ又は検出器の遠隔配置が可能となり、及び／又はトラップに何らかの動作指令を送信することを許容する。この際、受信機への稼動電力も変換器によって生成される。
【００１２】
あるいは、追加的なバッテリーの充電のために太陽電池を設けてもよい。その際、動物の検出を信号で伝えなければならない時に、変換器は、太陽電池への照射状態に関わらず十分な量のエネルギをいなかる場合にも利用可能とすることを確実にする。
【図面の簡単な説明】
【００１３】
【図１】図１は、本発明を具体化した小動物のトラップの概略断面図である。
【図２】図２は、図１に示すトラップの始動状態の断面図である。
【図３】図３は、トラップの機械−電気ユニットの概略断面図である。
【図４】図４は、図１及び図２に示すトラップの正面図である。
【図５】図５は、始動しない状態における本発明の他の実施形態の検出器を示している。
【図６】図６は、始動した状態における本発明の他の実施形態の検出器を示している。
【発明を実施するための形態】
【００１４】
本発明の実施形態を図面に基づいて説明する。
【００１５】
図１は、マウスのような小動物又はより小さなサイズの他の動物の生け捕り用トラップの一例を示しており、当該トラップは、本発明の実施形態に係る検出器を含んでいる。トラップは、図面の紙面に対して垂直方向に延在し、捕獲対象である小動物が中を通過可能なトンネル１２によって貫通されていることを除いて、箱状のケーシング１０を有している。動物にトンネル１２を通ることを強いるように、食物の在りかや巣への通り道にトラップを設置することが好ましい。
【００１６】
トンネル１２は、本例に示すように、心棒１８に回転自在に支持された３つのアーム２２を有する区画化された車輪部１６を備えた区画化された車輪状の仕切１４を通り抜けている。心棒１８は螺旋状のねじりバネ２０によって囲まれており、当該バネは、特に図示しないロック機構を用いて、区画化された車輪部１６が図１において時計回りに付勢されるように予め荷重をかけた状態で保持されている。それでいて、トラップが始動しない限り、区画化された車輪部における一つのアーム２２はストップ２４と係合しており、当該ストップ２４は、仕切１４の周壁のスロットに入り込みトリガ機構２６の一部を構成している。
【００１７】
トリガ機構２６は、トリガプレート２８をさらに含んでおり、当該トリガプレートは、シャフト３０を中心として回転可能に取り付けられていると共に、仕切１４の周壁のスロットを介してトンネル１２内に入り込んで、このトンネルの底部を構成するように配置されている。シャフト３０は、ステップスイッチ機構３２の入力シャフトであり、当該ステップスイッチ機構は、例えば周知のラチェット機構で構成されてもよく、アーム３６の交差部を支持する出力シャフト３４を備えている。この交差部の４つのアームの中の一つは、区画化された車輪部のアーム２２のためのストップ２４を構成する。
【００１８】
例えばマウス等の動物がトンネル１２に進入してトリガプレート２８を通り過ぎると、このプレートがマウスの重さで下方に傾いて、それに応じてシャフト３０が回転する。このことが、ステップスイッチ機構３２における次ステップをもたらす。このステップでは、交差部３６が一時的にフリーの状態になり、これにより、ストップ２４が屈して、区画化された車輪部１６がバネ２０の作用を受けて時計回りに回転可能となる。結果として、トンネル１２にいたマウスは、アーム２２によって捕獲され、傷つくことなく、スライドドア４０を開けた後にマウスを取り除くことができる空間３８内に押し込められる。アーム３６を有する出力シャフト３４は、９０°回転すると、交差部の次のアームがストップ２４を構成する位置で、ラチェット機構によって再度ロックされ、そして、区画化された車輪部１６が１２０°回転したら、この車輪部の次のアームがストップ２４でロックされる。しかしながら、この時には、バネ２０が大きく緩められており、トラップが再度稼動するように準備するためには、メンテナンス人員が再度荷重を印加しなければならない。
【００１９】
これまでに説明したトラップの機械的原理は、それ自体は知られている。ここに記載されているトラップは、機械−電気ユニット４２がケーシング１０に取り付けられており、このユニットは、トラップの始動時にはいつでも無線信号を送信するように構成されている、という格別の特徴を有している。そのために、ユニット４２は、無線信号を生成するための電気的なエネルギを供給する機械−電気変換器４４を含んでいる。変換器４４のシャフト４６は、ステップスイッチ機構３２の出力シャフトに対して平行にケーシング１０を通過し、図１に示す状態において交差部のアーム３６の一つと係合するレバー４８を支持している。そして、図２に示すようにトラップが始動して、それに従って交差部が一時的にフリーな状態になると、区画化された車輪部のアーム２２が、それまでストップ２４を構成していた交差部のアーム３６を押し下げ、交差部が反時計回りに回る。その結果、交差部の反対側のアームがレバー４８を上方へ旋回させ、それによって、機械−電気変換器４４を駆動するシャフト４６の回転を生じさせる。
【００２０】
図３には、機械−電気ユニット４２が概略断面図で示されている。変換器４４は、シャフト４６に支持された入力ギアと、発電機５２を駆動させる出力ギアとを有するギアボックス５０を備えている。発電機５２の電気出力端子は、回路基板５６に実装された直流コンバータ５４に接続されている。この回路基板５６は、適切な電子部品によって構成され、コンバータ５４によって供給される直流電流で機能する送信器５８をさらに支持しており、関連するアンテナ６０も同様となっている。
【００２１】
トリガ機構２６（図１及び図２）がシャフト４６を回転させるとすぐに、発電機５２が、コンバータ５４によって整流されて制限された交流電流を供給する。また、コンバータ５４によって生成された直流電圧が、送信器５８の稼動電圧に少なくとも対応する一定の閾値に達するとすぐに、この送信器が始動して、アンテナ６０を介して、何かを捕獲したことを知らせる無線信号を送信する。このことが、空間３８からマウスを除去するために、監視人員をトラップに向かわせることになる。この際に、人員が、ねじりバネ２０に再度荷重を印加することで、トラップを稼動するための準備状態に復旧する。
【００２２】
図４は、ケーシング１０の外観図である。回転式の把手６２は、ケーシング１０の外部で区画化された車輪状の仕切の心棒１８に取り付けられており、前述の把手は、特に図示されていない戻り止めを介して、ねじりバネ２０の一端に接続されている。従って、回転式の把手６２は、一定の付勢に達するまでねじりバネ２０にテンションをかけることを可能とし、その結果、上述した戻り止めがバネを開放した後に別の戻り止め（不図示）によって当該バネが付勢姿勢で保持される。このようにして、トリガ機構２６が始動するたびに、把手６２によってバネに再度荷重を印加し直すことができる。
【００２３】
図５及び図６は、本発明の他の実施形態を説明している。この実施形態は、トラップとしての機能を有しておらず、単に動物の存在を検出して知らせるための検出器として機能する。機械−電気ユニット６４は、図３に示すユニット４２と同一であってもよく、傾斜プレート６８の一端と強固に接続された入力シャフト６６を有しており、傾斜プレートは、カンチレバー方式で実質的に水平方向にシャフト６６から制限なく突出している。シャフト６６は、傾斜プレート６８を本来の水平な姿勢に保持するバネ（不図示）の力を受けていてもよい。
【００２４】
動物が傾斜プレート６８に乗ると、このプレートは、図６に示すような姿勢に傾き、これにより、入力シャフト６６の回転が生じる。この入力シャフトの僅かな回転は、送信器を始動させて検出信号を送信するために必要な電気的エネルギを供給するのに十分である。
【００２５】
好ましい実施形態では、送信器は、多くのエネルギを必要としない非常に短い無線パルスのみを発振するにも係わらず、検出器の周囲の建築物又は他の障害物の存在に応じて、検出器の位置から５０〜１０００メートルの距離にある適切な受信器によって受信可能となっている。
【００２６】
従って、この実施形態では、トリガ機構が、始動した後に再度荷重を印加し直すことを必要としない。
【００２７】
変形例として、検出器が始動しない状態のときに、傾斜プレート６８の自由端が、床面上で静止していてもよい（図６参照）。この実施形態では、傾斜プレート（図６中右側に位置する）の他端が、ラック−アンド−ピニオン機構等を介して入力シャフト６６に駆動可能に接続されており、その結果、動物が傾斜プレート２８に乗ると、傾斜プレート６８の上端が、すなわち入力シャフト６６に接続された端部が、下向きに押圧され、あるいは弱い伸縮バネの力を抗して、送信器に電力供給するように入力シャフト６６を動かす。
【図１】
2011512824.tif 000003
【図２】
2011512824.tif 000004
【図３】
2011512824.tif 000005
【図４】
2011512824.tif 000006
【図５】
2011512824.tif 000007
【図６】
2011512824.tif 000008
【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
捕獲される動物によって始動するトリガ機構（２６）と、モニタリングセンタに検出信号を送信するために、前記トリガ機構によって作動する送信器（５８）と、を備えた小動物のためのトラップであって、前記トリガ機構（２６）によって駆動する機械−電気変換器（４４）を備えており、前記機械−電気変換器（４４）のエネルギが前記送信器（５８）に電力供給することを特徴とするトラップ。
【請求項２】
請求項１に記載のトラップであって、生け捕り用のトラップとして構成されるトラップ。
【請求項３】
請求項１又は２記載のトラップであって、前記トリガ機構（２６）は、予め手動で荷重を印加するように適合された動力貯蓄部（２０）によって駆動されるように適合されているトラップ。
【請求項４】
請求項３記載のトラップであって、小動物が通過可能であると共に、前記動力貯蓄部（２０）によって付勢され且つ始動時に前記トリガ機構（２６）によって回転可能となる、区画化された車輪状の仕切（１４）を介して通じるトンネル（１２）を備えており、前記仕切（１４）が前記トリガ機構（２６）を動かすと共に、前記動物が前記トンネルから前記トラップの閉鎖空間（３８）内に向かって押されるトラップ。
【請求項５】
請求項１〜４の何れかに記載のトラップであって、前記トリガ機構（２６）は、シャフト（３４）と、そこから突出する少なくともの一つのアーム（３６）とを有するステップスイッチ機構（３２）を備え、前記シャフトは、前記ステップスイッチ機構（３２）のいずれのスイッチングステップにおいても回転し、前記機械−電気変換器（４４）は、前記ステップスイッチ機構（３２）のシャフト（３４）に対して平行に延在すると共に、前記ステップスイッチ機構の前記アーム（３６）によって始動するように配置されたレバー（４８）を支持するシャフト（４６）を備えたトラップ。
【請求項６】
請求項４又は５記載のトラップであって、前記ステップスイッチ機構は、等角に配置されていると共に、区画化された車輪状の仕切（１４）における区画化された車輪部（１６）のアーム（２２）に対するストップ（２４）を構成する複数のアーム（３６）を備えているトラップ。
【請求項７】
請求項１〜６の何れかに記載のトラップであって、前記機械−電気変換器（４４）は、発電機（５２）を含むことを特徴とするトラップ。
【手続補正３】
【補正対象書類名】明細書
【補正対象項目名】０００１
【補正方法】変更
【補正の内容】
【０００１】
本発明は、捕獲される動物によって始動するトリガ機構と、モニタリングセンタに検出信号を送信するためにトリガ機構によって作動する送信器と、を備えた小動物のトラップに関する。
【手続補正４】
【補正対象書類名】明細書
【補正対象項目名】０００２
【補正方法】変更
【補正の内容】
【０００２】
ドイツ国20 2004 013 928は、次のようなタイプのトラップについて記載している。動物がトリガ機構を作動させると、動物はトラップの中に捕獲される。生け捕り用のトラップの場合には、トラップの中で動物が過度に苦しみ或いは餓死することを防ぐため、適度な時間内に動物に対応することが確保されていなければならない。送信器には、トラップから動物を解放することをモニタリングセンタの人員に知らせるために、モニタリングセンタへ警告信号を送信するという目的がある。
【手続補正５】
【補正対象書類名】明細書
【補正対象項目名】０００３
【補正方法】変更
【補正の内容】
【０００３】
本発明の目的は、電力網が利用可能であるか否かに係わらず任意の場所に設置することができ、高い信頼性で機能すると共に、ほとんど保守労力を必要としないトラップを提供することである。
【手続補正６】
【補正対象書類名】明細書
【補正対象項目名】０００４
【補正方法】変更
【補正の内容】
【０００４】
この目的を達成するために、本発明によれば、トラップは、トリガ機構によって駆動し、そのエネルギが送信器に電力供給する機械−電気変換器を備えている。
【手続補正７】
【補正対象書類名】明細書
【補正対象項目名】０００５
【補正方法】変更
【補正の内容】
【０００５】
機械−電気変換器は、それ自体としては、例えば発電機や圧電変換器等の形で知られており、それらはとりわけ盗難防止システムで用いられている。フランス国 2 630 884 Aは、動物（犬）の運動によって駆動し、電気的エネルギを発生させる変換器について記載している。本発明に係るトラップにおいては、そのような変換器は、送信器に電力供給するために必要とされる電気的エネルギを提供する。変換器を動かすための機械的エネルギは、トリガ機構によって提供される。従って、動物が検出された時はいつでも、送信器がエネルギ供給を受けて機能する準備ができており、対応する検出信号又は警告信号がモニタリングセンタに送信されることが確保されている。
【手続補正８】
【補正対象書類名】明細書
【補正対象項目名】０００６
【補正方法】変更
【補正の内容】
【０００６】
送信器への自立的な電力供給は、トラップが設置されることとなる場所で利用可能とするために電力供給網を必要しないという点の利点があり、バッテリーも必要とせず、そのため、バッテリーを入手しその負荷状態をチェックしたり、使用済みのバッテリーを処分するコストを回避することができる。
【手続補正９】
【補正対象書類名】明細書
【補正対象項目名】０００８
【補正方法】変更
【補正の内容】
【０００８】
トラップは、小動物、特にマウスやラット等の害獣のために用いられてもよい。
【手続補正１０】
【補正対象書類名】明細書
【補正対象項目名】０００９
【補正方法】削除
【補正の内容】
【手続補正１１】
【補正対象書類名】明細書
【補正対象項目名】００１１
【補正方法】変更
【補正の内容】
【００１１】
機械−電気変換器から送信器に直接的に電力供給することに代えて、再充電可能なバッテリーに変換器のエネルギを蓄積することも可能である。このことは、例えばトラップに（ＧＰＳ）受信器を備え付けることを許容し、これによりトラップの遠隔配置が可能となり、及び／又はトラップに何らかの動作指令を送信することを許容する。この際、受信機への稼動電力も変換器によって生成される。
【手続補正１２】
【補正対象書類名】明細書
【補正対象項目名】００１３
【補正方法】変更
【補正の内容】
【００１３】
【図１】図１は、本発明を具体化した小動物のトラップの概略断面図である。
【図２】図２は、図１に示すトラップの始動状態の断面図である。
【図３】図３は、トラップの機械−電気ユニットの概略断面図である。
【図４】図４は、図１及び図２に示すトラップの正面図である。
【図５】図５は、始動しない状態の検出器を示している。
【図６】図６は、始動した状態の検出器を示している。
【手続補正１３】
【補正対象書類名】明細書
【補正対象項目名】００１５
【補正方法】変更
【補正の内容】
【００１５】
図１は、マウスのような小動物又はより小さなサイズの他の動物の生け捕り用トラップの一例を示しており、当該トラップは、検出器を含んでいる。トラップは、図面の紙面に対して垂直方向に延在し、捕獲対象である小動物が中を通過可能なトンネル１２によって貫通されていることを除いて、箱状のケーシング１０を有している。動物にトンネル１２を通ることを強いるように、食物の在りかや巣への通り道にトラップを設置することが好ましい。
【手続補正１４】
【補正対象書類名】明細書
【補正対象項目名】００２３
【補正方法】変更
【補正の内容】
【００２３】
図５及び図６は、トリガ機構の他の実施形態を説明している。機械−電気ユニット６４は、図３に示すユニット４２と同一であってもよく、傾斜プレート６８の一端と強固に接続された入力シャフト６６を有しており、傾斜プレートは、カンチレバー方式で実質的に水平方向にシャフト６６から制限なく突出している。シャフト６６は、傾斜プレート６８を本来の水平な姿勢に保持するバネ（不図示）の力を受けていてもよい。
【手続補正１５】
【補正対象書類名】明細書
【補正対象項目名】００２５
【補正方法】変更
【補正の内容】
【００２５】
好ましい実施形態では、送信器は、多くのエネルギを必要としない非常に短い無線パルスのみを発振するにも係わらず、トラップの周囲の建築物又は他の障害物の存在に応じて、トラップの位置から５０〜１０００メートルの距離にある適切な受信器によって受信可能となっている。
【手続補正１６】
【補正対象書類名】明細書
【補正対象項目名】００２７
【補正方法】変更
【補正の内容】
【００２７】
変形例として、検出器が始動しない状態のときに、傾斜プレート６８の自由端が、床面上で静止していてもよい（図６参照）。この実施形態では、傾斜プレート（図６中右側に位置する）の他端が、ラック−アンド−ピニオン機構等を介して入力シャフト６６に駆動可能に接続されており、その結果、動物が傾斜プレート６８に乗ると、傾斜プレート６８の上端が、すなわち入力シャフト６６に接続された端部が、下向きに押圧され、あるいは弱い伸縮バネの力を抗して、送信器に電力供給するように入力シャフト６６を動かす。
【国際調査報告】
2011512824.tif 000009
2011512824.tif 000010
2011512824.tif 000011